(57)【要約】【課題】粘着テープＴで閉口された容器を、開口する方法として、爪等で粘着テープ端部ＴＥを剥がしたり、カッター等の道具を使わないで、簡単に、早く剥がす方法、且、リユース可能となる、環境適応性容器の開発を課題とする。【解決手段】  粘着テープＴで封函された容器の粘着テープ端部ＴＥから粘着テープＴ側に向かって、手指Ｆの入るスペースのある押え部ＰＰを備えた、アーチ状の切込み部ＣのあるプッシュフラップＰＦを設けることで、押え部ＰＰを手指Ｆで押え、プッシュフラップＰＦを内部に陥入させることで、粘着テープＴを剥がし、粘着テープ剥がし口ＴＯを持ち上げて開口する。【選択図】図１
2019199301.tif 000002
【特許請求の範囲】
【請求項１】
粘着テープＴで封函された容器の開口手段として、粘着テープ端部ＴＥが、粘着テープＴ側に向けて、アーチ状の切込み部Ｃを形成したプッシュフラップＰＦを設け、更にプッシュフラップＰＦには、粘着テープＴ接着していない、手指の入るスペースのある押え部ＰＰを備えた事を特徴とする容器。
【請求項２】
プッシュフラップＰＦは、弾力性のある復元力のある材質で構成されていることを、特徴とする、請求項１に記載の容器。
【発明の詳細な説明】
【技術分野】
【０００１】本発明は、粘着テープで封函された容器に、剥がし易い構造を付与した箱容器に関する。
【背景技術】
【０００２】従来、粘着テープで封函された容器を、簡単に早く開口する方法として、粘着テープ端部の容器側壁部分にミシン目状カットを入れて、容器側壁の一部分が粘着テープと共に、分離されて剥がす方法があるが、容器に損傷が発生してリユース出来ないことがある。
【先行技術文献】
【０００３】出願人は、特願２０１８−８３４８４にて、引っ張って剥がす方法として、プルフラップを提案致しました。
【発明の概要】
【発明が解決しようとする課題】
【０００４】従来、粘着テープで封函された容器を開口する方法として、カッター等の道具を使っていたが、中身や容器が損傷し、リユースする際に、容器に付着した残存粘着テープを取り除くのに手間がかかった。
【課題を解決するための手段】
【０００５】そこで、本発明が上記課題を解決するための手段として構成したところは、粘着テープで封函された容器を開口する方法として、粘着テープ端部の容器に接着した部分を含む範囲のスペースに、粘着テープ端部を起点として、粘着テープ方向へ押え部を伴った、アーチ状の切込み部のあるプッシュフラップを設ける事で、押え部を手指で容器内部に向かって押えて、プッシュフラップを陥入させることで、粘着テープ剥がし口を得ることが出来る。
【発明の効果】
【０００６】当発明によれば、切込み部Ｃを入れたプッシュフラップＰＦを、粘着テープ端部ＴＥから粘着テープ方向に向かって、アーチ状の切込み部Ｃを、容器の側壁又は、蓋部に設けることにより、プッシュフラップＰＦ内の押え部ＰＰを手指Ｆで押すと、粘着テープが剥離して、粘着テープ剥がし口ＴＯを持ち上げて簡単に早く開口することができる【０００７】プッシュフラップＰＦは、押え部ＰＰを手指Ｆで押え、容器内に向けて陥入し、粘着テープＴが剥離して開口できるが、プッシュフラップＰＦは、複数回嵌入しても弾性があることで、直立姿勢を保持でき、容器の強度が保てるので、複数回リユースが可能となる。【０００８】容器の狭巾側壁ＳＳ２の上下に、プッシュフラップＰＦを設けることで、上下の粘着テープＴを剥がし、容器を折り畳み積層できるので、保管空間を減らすことができる。【０００９】プラスチックを原材料とする、本体部分Ｂと覆い蓋ＯＣで構成された成型容器の場合、プッシュフラップＰＦは、蓋に設けることで、粘着テープＴを簡単に早く剥がすことができる。
【図面の簡単な説明】
【００１０】
【図１】［図１］の（Ａ）は、段ボールＪＡＳコードＮＯ２０１を組み立てた、狭巾側壁ＳＳにプッシュフラップＰＦを設け粘着テープＴで封函した状態を示す斜視図である。（Ｂ）は、（Ａ）の円弧部分の拡大図であり押え部ＰＰに手指Ｆを定置された状態を表わす。（Ｃ）は、押え部ＰＰを手指Ｆで押えて、プッシュフラップＰＦが内部に陥入して、粘着テープＴが剥離した状態を示す。
【図２】［図２］の（Ａ）は、覆い蓋ＯＣタイプのＪＡＳコードＮＯ２１２等の段ボールや、同タイプのコートボール紙で構成された容器の広巾側壁ＳＷに、切込み部Ｃを入れてプッシュフラップＰＦを設けた斜視図である。（Ｂ）は、粘着テープＴで封函した状態を示す。（Ｃ）は、（Ｂ）の円弧部分の拡大図であり、プッシュフラップＰＦ内の押え部ＰＰに手指Ｆを添えた状態を表す。（Ｄ）は、手指ＦでプッシュフラップＰＦ内の押え部ＰＰを、内部に陥入させて粘着テープＴを剥離させて、手指Ｆを粘着テープＴの裏側に挿入された状態を示す。
【図３】［図３］の（Ａ）は、プラスチックの成型された容器で、覆い蓋ＯＣ側にプッシュフラップＰＦを設けた状態を示す。（Ｂ）は、粘着テープＴで覆い蓋ＯＣのプッシュフラップＰＦ部分と、容器本体Ｂを閉口した状態を示す。（Ｃ）は、（Ｂ）の円弧部分の拡大図であり、プッシュフラップＰＦの押え部ＰＰに手指Ｆを添えた状態を示す。（Ｄ）は、プッシュフラップＰＦ内の押え部ＰＰを、内部に向かって陥入させて、手指Ｆを粘着テープ剥がし口ＴＯの粘着部側に、挿入させた状態を示す。
【発明を実施するための形態】
【００１１】この発明の第一実施形態を［図１］に示す。プッシュフラップＰＦを容器の狭巾側壁ＳＳの上下に設けることで、粘着テープＴで上下の双方の外側フラップを閉口した状態に於いて、粘着テープ端部ＴＥがプッシュフラップＰＦに接着し、押え部ＰＰを手指Ｆで押え内側に陥入させることで、粘着テープ端部ＴＥを剥がすことができる。容器の材質は、段ボール、コートボール紙、プラスチックであってもよい。
【００１２】この発明の第二実施形態を［図２］に示す。プッシュフラップＰＦを容器の広巾側壁ＳＷに設けることで、開封できる様構成されている。覆い蓋ＯＣで封函した状態を（Ｂ）に示す。（Ｂ）の円弧部分の拡大図（Ｃ）に示す様に、粘着テープＴで封函されたプッシュフラップＰＦの押え部ＰＰを、手指Ｆで押え内側に陥入させることで、（Ｄ）に示すように手指Ｆを粘着テープＴの裏面に挿入させ、粘着テープ剥がし口ＴＯを持ち上げて剥がすことができる。
【００１３】この発明の第三実施形態を［図３］に示す。（Ａ）に示すように、切込み部Ｃを入れ、プッシュフラップＰＦを覆い蓋ＯＣの封函部に設ける。（Ｂ）は、粘着テープＴで封函した状態を示す。（Ｂ）の円弧部分の拡大図を（Ｃ）に示す様に、粘着テープＴで封函されたプッシュフラップＰＦの押え部ＰＰを、手指Ｆで押え下方に陥入させることで、（Ｄ）に示すように手指Ｆを粘着テープＴの裏面に挿入させ、粘着テープ剥がし口ＴＯを持ち上げて剥がすことができる。該形態に於ける材質は、プラスチックで成型されて構成されているので、容器本体部分Ｂに、強度補強のためフランジＦＲを設けている。上蓋は、分離独立した共蓋として、プッシュフラップＰＦを左右二か所に設けても良い。
【実施形態の効果】
【００１４】［図１］、［図２］、［図３］に図示されたプッシュフラップＰＦの位置が、容器の側壁又は、上蓋のどちらであっても、アーチ状の切込み部Ｃを構成することで、弾性があり復元力があるので、複数回リユースできる為コストダウンに貢献できる。
【符号の説明】
【００１５】Ｂ  ：本体部分
Ｃ  ：切込み部
Ｆ  ：手指
ＦＲ：フランジ
ＯＣ：覆い蓋
ＰＦ：プッシュフラップ
ＰＰ：押え部
ＳＳ：狭巾側壁
ＳＷ：広巾側壁
Ｔ  ：粘着テープ
ＴＥ：粘着テープ端部
ＴＯ：粘着テープ剥がし口
【図１】
2019199301.tif 000003
【図２】
2019199301.tif 000004
【図３】
2019199301.tif 000005